(57)【要約】      （修正有）【課題】乗り心地を悪くすることなく、構造が簡単で廉価なエレベータの移動ケーブルを得る。【解決手段】一端部がケーブル吊手装置８に取り付けられ、他端部が昇降路側ケーブル吊手９に取り付けられた移動ケーブル１０を備え、この移動ケーブル１０の断面形状を変えることにより、所要の自由曲げ径を設定できるようにしたもので、移動ケーブル１０は、そのつばの高さを変え、Ｘ軸回りの曲げ剛性を、移動ケーブル１０の吊り位置が乗りかごの重心位置となるように設定されている。【選択図】図１
2006327712.tif 000002
【特許請求の範囲】
【請求項１】
一端部がケーブル吊手装置に取り付けられ、他端部が昇降路側ケーブル吊手に取り付けられた移動ケーブルを備え、該移動ケーブルの断面形状を変えることにより、所要の自由曲げ径を設定できるようにしたことを特徴とするエレベータの移動ケーブル。
【請求項２】
上記移動ケーブルは、そのつばの高さを変え、Ｘ軸回りの曲げ剛性を、移動ケーブルの吊り位置が乗りかごの重心位置となるように設定されていることを特徴とする請求項１記載のエレベータの移動ケーブル。
【請求項３】
上記移動ケーブルのつばを、該移動ケーブルの任意の位置に配置したことを特徴とする請求項２記載のエレベータの移動ケーブル。
【請求項４】
上記移動ケーブルのつば位置を、該移動ケーブルに対して一ヶ所設けたことを特徴とする請求項２記載のエレベータの移動ケーブル。
【発明の詳細な説明】
【技術分野】
【０００１】
この発明は、エレベータの移動ケーブルに関し、特に、使用されている移動ケーブルの形状を改善することで、エレベータの乗り心地の悪化を防止できるエレベータの移動ケーブルに関するものである。
【背景技術】
【０００２】
通常、エレベータ乗りかごのケーブル吊手装置に使用されている移動ケーブルは、自由曲げ径を５００ｍｍ前後と小径化しており、かごの重心から離れた位置にしか固定できず、そのために、かごに偏荷重が作用し、乗り心地が悪くなることがある。そこで、その解決方法の一つとして、従来、かご側ケーブル吊手の固定仕方を考慮したエレベータ乗りかごのケーブル吊手装置が提案されており、この装置の場合、ケーブルの他端部の取付位置を、乗りかごの昇降位置に対応して、乗りかごの開口方向へ移動させるものである（例えば、特許文献１参照）。
【０００３】
【特許文献１】特開平３−２６６８１号公報
【発明の開示】
【発明が解決しようとする課題】
【０００４】
しかしながら、上記のような従来装置の場合、ケーブルの他端部の取付位置を乗りかごの昇降位置に対応して乗りかごの開口方向へ移動させる専用の移動装置を設ける必要があるので、装置が複雑でコストも高くなる等の問題点があった。
【０００５】
この発明は、上記のような課題を解決するためになされたもので、乗り心地を悪くすることなく、構造が簡単で廉価なエレベータの移動ケーブルを得ることを目的とする。
【課題を解決するための手段】
【０００６】
この発明に係るエレベータの移動ケーブルは、一端部がケーブル吊手装置に取り付けられ、他端部が昇降路側ケーブル吊手に取り付けられ移動ケーブルを備え、該移動ケーブルの断面形状を変えることにより、所要の自由曲げ径を設定できるようにしたものである。
【発明の効果】
【０００７】
この発明は、エレベータの移動ケーブルを、かごの重心付近にかご側のケーブル固定点が来るような自由曲げ径の移動ケーブルとすることで、かごに吊り下げ重量による偏荷重が作用せず、かごのガイド部に大きな荷重が作用しないので、乗り心地が悪くなることがなく、構造簡単にして安価なエレベータの移動ケーブルが得られるという効果がある。
【発明を実施するための最良の形態】
【０００８】
以下、この発明の一実施の形態を、図１〜図３を参照して説明する。
実施の形態１．
図１は、この発明の実施の形態１によるエレベータの移動ケーブルを、エレベータ乗りかごのケーブル吊手装置で用いた場合を示す構成図である。
図１において、昇降路１の側壁１ａに沿ってガイドレール２が設けられ、昇降路１の最低部のピット１ｂに緩衝器３が設けられる。また、昇降路１内を上下動する乗りかご４が設けられ、この乗りかご４の側面の上下にはそれぞれ滑り子４ａが固定され、乗りかご４の上下動時に滑り子４ａは、ガイドレール２によって案内される。
【０００９】
乗りかご４の下部に開口方向（図の左右方向）へ向けて２本平行にガイド棒５が取り付けられ、それぞれのガイド棒５の所定の位置に互いに対向するようにＵボルト６ａにより固定された一対の吊手支持金具６が設けられる。また、一対の吊手支持金具６の間に乗りかご側ケーブル吊手７が固定され、ガイド棒５、吊手支持金具６および乗りかご側ケーブル吊手７により、エレベータ乗りかごのケーブル吊手装置８を構成している。また、昇降路１の中間階やや上方の側壁１ａに昇降路側ケーブル吊手９が設けられる。
【００１０】
一端部がケーブル吊手装置８に取り付けられ、他端部が昇降路側ケーブル吊手９に取り付けられ、乗りかご４に信号や電源を供給する移動ケーブル１０が設けられ、この移動ケーブル１０は、銅芯１０ａが乗りかご側ケーブル吊手７に巻き掛けられ、ワイヤクリップ１１で締結されており、また、移動ケーブル１０は、複数の配線１０ｂを有する。また、側壁１ａの昇降路側ケーブル吊手９の上に取り付けられた機械室（図示せず）に設置された制御盤(図示せず)からの配線(図示せず)と移動ケーブル１０とを接続するつなぎ箱１２が設けられる。一端部が乗りかご４の上部に取り付けられ、機械室に備えた巻上機（図示せず）により乗りかご４を上下動させるための巻上ロープ１３が設けられる。
【００１１】
図２は、本実施の形態１におけるエレベータの移動ケーブルを示す断面図である。
従来の移動ケーブルが、そのつばの高さを一定としていたのに対し、本実施の形態では、図２に示すように、移動ケーブル１０のつば１０ａの高さｈを変え、Ｘ軸回りの曲げ剛性を、移動ケーブル１０の吊り位置が乗りかご４（図１）の重心位置となるように設定する。
【００１２】
つまり、移動ケーブル１０を、その重心付近にかご側のケーブル固定点が来るような自由曲げ径とすることで、乗りかご４に吊り下げ重量による偏荷重が作用せず、乗りかご４のガイドレール２の部分に大きな荷重が作用しないので、乗り心地が悪くなることがない。換言すれば、移動ケーブル１０を、その固定点が乗りかご４の重心に近づくような自由曲げ径のケーブルとすることで、特殊な吊手装置を用いなくても、乗りかご４にケーブル吊り下げ重量による偏荷重を小さくでき、乗り心地が悪くなることを抑制できる。
【００１３】
以上のように、この実施の形態１によれば、ケーブルの断面形状を変えることにより、所要の自由曲げ径を設定できるようにしたので、乗り心地を悪くすることなく、構造が簡単で廉価なエレベータの移動ケーブルを得ることができる。
【００１４】
実施の形態２．
図３は、本実施の形態２おけるエレベータの移動ケーブルを示す断面図である。
なお、上記実施の形態１では、移動ケーブル１０のつば１０ａの高さｈを変え、Ｘ軸回りの曲げ剛性を、移動ケーブル１０の吊り位置が乗りかご４の重心位置となるよう設定する場合について説明したが、これに限定されることなく、移動ケーブル１０のつば１０ａの位置は、例えば、図３（ａ）に示す移動ケーブル１０Ａのように、つば１０ａの位置が任意の位置に配置されたものでもよく、また、図３（ｂ）に示す移動ケーブル１０Ｂのように、つば１０ａの位置が一ヶ所でもよく、いずれの場合も、所望の曲げ剛性が得られれば、如何なる形状でもよい。
【００１５】
以上のように、この実施の形態２によれば、所望の曲げ剛性が得られることを前提に、移動ケーブルのつばを、移動ケーブルの任意の位置に配置するか、または、移動ケーブルに対して一ヶ所設けることで、本実施の形態でも、上記実施の形態１と同様の効果が得られる。
【図面の簡単な説明】
【００１６】
【図１】この発明の実施の形態１によるエレベータの移動ケーブルを、エレベータ乗りかごのケーブル吊手装置で用いた場合を示す構成図である。
【図２】この発明の実施の形態１によるエレベータの移動ケーブルの形状を示す断面図である。
【図３】この発明の実施の形態２によるエレベータの移動ケーブルの形状を示す模式図である。
【符号の説明】
【００１７】
１    昇降路、２    ガイドレール、４    乗りかご、７    乗りかご側ケーブル吊手、８    ケーブル吊手装置、９    昇降路側ケーブル吊手、１０，１０Ａ，１０Ｂ    移動ケーブル。
【図１】
2006327712.tif 000003
【図２】
2006327712.tif 000004
【図３】
2006327712.tif 000005